(57)【要約】【課題】機器の操作情報や動作データなど、他人や外部に漏らしたくないデータを簡易な設定手段で適切に保護する機器を提供する。【解決手段】システム制御回路５０は、装置の操作に関する情報及び操作者を特定する情報を、個人特定情報カテゴリ、再生コンテンツ情報カテゴリ、機器メンテナンス用情報カテゴリ及び撮影環境情報カテゴリに分類し、分類後のカテゴリに応じて前記動作情報の本体での記録・再生・表示・転送・消去を制御する。【選択図】  図１
2004349909.tif 000002
【特許請求の範囲】
【請求項１】
装置の操作に関する情報及び操作者を特定する情報を、プライバシに関する情報とその他の情報に分類するために、個人特定情報カテゴリ、再生コンテンツ情報カテゴリ、機器メンテナンス用情報カテゴリ及び撮影環境情報カテゴリの少なくともいずれかに分類し、分類後のカテゴリに応じて前記動作情報の本体での記録・再生・表示・転送・消去を制御することを特徴とする情報記録装置。
【請求項２】
被写体像を撮像し画像情報として記録する撮像記録手段を有する撮像記録装置であって、
装置の操作に関する情報及び操作者を特定する情報を、プライバシに関する情報とその他の情報に分類するために、個人特定情報カテゴリ、再生コンテンツ情報カテゴリ、機器メンテナンス用情報カテゴリ及び撮影環境情報カテゴリの少なくものいずれかに分類し、
分類後のカテゴリに応じて前記動作情報の本体での記録・再生・表示・転送・消去を制御するプライバシ保護手段を有し、
前記個人特定情報カテゴリは、個人を特定可能な情報であって、操作者の指紋、目の虹彩、血管、声紋、住所、氏名、年齢、電話番号、メールアドレスのうち少なくとも１つを含み、
前記再生コンテンツ情報カテゴリは、本体で当該コンテンツを再生した日時、場所、再生したデータの種類や内容を判断可能なコンテンツ情報のうち少なくとも１つを含み、
前記機器メンテナンス用情報カテゴリは、機器の修理及びメンテナンスの少なくとも一方ために必要な情報であり、耐久回数及び使用期限のある所定部材の操作回数及び操作時間、さらには、本体のソフトウェアをデバッグするための操作情報のうち少なくとも１つを含み、
前記撮影環境情報カテゴリは、撮影環境に関する情報であり、撮影時の操作時刻、操作場所、温度、湿度及び天気のうち少なくとも１つを含み、
分類後のカテゴリに従い、情報管理方法の設定をユーザに促す頻度タイミング及び管理状態を表示する方法の少なくとも一方が異なる
ことを特徴とする撮像記録装置。
【請求項３】
記録された画像を再生する手段を有する再生装置であって、
装置の操作に関する情報及び操作者を特定する情報を、プライバシに関する情報とその他の情報に分類するために、個人特定情報カテゴリ、再生コンテンツ情報カテゴリ、機器メンテナンス用情報カテゴリ及び撮影環境情報カテゴリの少なくものいずれかに分類し、
分類後のカテゴリに応じて前記動作情報の本体での記録・再生・表示・転送・消去を制御するプライバシ保護手段を有し、
前記個人特定情報カテゴリは、個人を特定可能な情報であって、操作者の指紋、目の虹彩、血管、声紋、住所、氏名、年齢、電話番号、メールアドレスのうち少なくとも１つを含み、
前記再生コンテンツ情報カテゴリは、本体で当該コンテンツを再生した日時、場所、再生したデータの種類や内容を判断可能なコンテンツ情報のうち少なくとも１つを含み、
前記機器メンテナンス用情報カテゴリは、機器の修理及びメンテナンスの少なくとも一方ために必要な情報であり、耐久回数及び使用期限のある所定部材の操作回数及び操作時間、さらには、本体のソフトウェアをデバッグするための操作情報のうち少なくとも１つを含み、
前記撮影環境情報カテゴリは、撮影環境に関する情報であり、撮影時の操作時刻、操作場所、温度、湿度及び天気のうち少なくとも１つを含み、
分類後のカテゴリに従い、情報管理方法の設定をユーザに促す頻度タイミング及び管理状態を表示する方法の少なくとも一方が異なる
ことを特徴とする再生装置。
【請求項４】
装置の操作に関する情報及び操作者を特定する情報を、プライバシに関する情報とその他の情報に分類するために、個人特定情報カテゴリ、再生コンテンツ情報カテゴリ、機器メンテナンス用情報カテゴリ及び撮影環境情報カテゴリの少なくものいずれかに分類し、
分類されたカテゴリに応じて、前記動作情報の本体での記録・再生・表示・転送・消去を制御する
ことを特徴とするプライバシ保護方法。
【請求項５】
被写体像を撮像し画像情報として記録する撮像記録手段を有する撮像記録装置において操作者のプライバシを保護する方法であって、
装置の操作に関する情報及び操作者を特定する情報を、プライバシに関する情報とその他の情報に分類するために、個人特定情報カテゴリ、再生コンテンツ情報カテゴリ、機器メンテナンス用情報カテゴリ及び撮影環境情報カテゴリの少なくものいずれかに分類し、
分類後のカテゴリに応じて前記動作情報の本体での記録・再生・表示・転送・消去を制御し、
前記個人特定情報カテゴリは、個人を特定可能な情報であって、操作者の指紋、目の虹彩、血管、声紋、住所、氏名、年齢、電話番号、メールアドレスのうち少なくとも１つを含み、
前記再生コンテンツ情報カテゴリは、本体で当該コンテンツを再生した日時、場所、再生したデータの種類や内容を判断可能なコンテンツ情報のうち少なくとも１つを含み、
前記機器メンテナンス用情報カテゴリは、機器の修理及びメンテナンスの少なくとも一方のために必要な情報であり、耐久回数及び使用期限のある所定部材の操作回数及び操作時間、さらには、本体のソフトウェアをデバッグするための操作情報のうち少なくとも１つを含み、
前記撮影環境情報カテゴリは、撮影環境に関する情報であり、撮影時の操作時刻、操作場所、温度、湿度及び天気のうち少なくとも１つを含み、
分類後のカテゴリに応じて、情報管理方法の設定をユーザに促す頻度タイミング及び管理状態を表示する方法の少なくとも一方が異なる
ことを特徴とするプライバシ保護方法。
【請求項６】
記録された画像を再生する手段を有する再生装置において操作者のプライバシを保護する方法であって、
装置の操作に関する情報及び操作者を特定する情報を、プライバシに関する情報とその他の情報に分類するために、個人特定情報カテゴリ、再生コンテンツ情報カテゴリ、機器メンテナンス用情報カテゴリ及び撮影環境情報カテゴリの少なくものいずれかに分類し、
分類後のカテゴリに応じて前記動作情報の本体での記録・再生・表示・転送・消去を制御し、
前記個人特定情報カテゴリは、個人を特定可能な情報であって、操作者の指紋、目の虹彩、血管、声紋、住所、氏名、年齢、電話番号、メールアドレスのうち少なくとも１つを含み、
前記再生コンテンツ情報カテゴリは、本体で当該コンテンツを再生した日時、場所、再生したデータの種類や内容を判断可能なコンテンツ情報のうち少なくとも１つを含み、
前記機器メンテナンス用情報カテゴリは、機器の修理及びメンテナンスの少なくとも一方のために必要な情報であり、耐久回数及び使用期限のある所定部材の操作回数及び操作時間、さらには、本体のソフトウェアをデバッグするための操作情報のうち少なくとも１つを含み、
前記撮影環境情報カテゴリは、撮影環境に関する情報であり、撮影時の操作時刻、操作場所、温度、湿度及び天気のうち少なくとも１つを含み、
分類後のカテゴリに応じて、情報管理方法の設定をユーザに促す頻度タイミング及び管理状態を表示する方法の少なくとも一方が異なる
ことを特徴とするプライバシ保護方法。
【発明の詳細な説明】
【０００１】
【発明の属する技術分野】
本発明は、情報記録装置、撮像記録装置、再生装置及びプライバシ保護方法
に関し、より具体的には、装置の操作履歴をプライバシ保護の観点で制御する情報記録装置、撮像記録装置、再生装置及びプライバシ保護方法に関する。
【０００２】
【従来の技術】
ＤＶＤディスクなどの記録媒体にビデオ情報をデジタル記録するデジタルビデオレコーダ・プレーヤなどの記録再生機器には、ＤＶＤディスクの記録情報のどれをどの順に再生したか、または、どのように再生したいかなどの情報をいわゆるプレイリスト情報として保存する機能を有するものがある。これは、好みの情報を好みの方法・順序で再生できる点で便利である。
【０００３】
しかし、操作者がどんな種類の情報に興味を持ち、そのような情報を再生したかは、プライバシに関わる項目であると言える。
【０００４】
プライバシ保護の例としては、パーソナルコンピュータのアプリケーションソフトウエア、例えばｗｅｂブラウザソフトウエアなどには、プライバシに関する設定が可能なものが存在する。ソフトウエアをインストールする時点でプライバシ保護項目を設定し、インストール後も画面上などでいつでも設定を変更することもできる。
【０００５】
【発明が解決しようとする課題】
しかし、ビデオカメラなどのような機器では、プレイリストに限らず、操作履歴などに対するプライバシ保護が不十分である。また、パーソナルコンピュータなどに比べ、システムの構成内容が異なり、パー路成るコンピュータのアプリケーションソフトウエアと同じような方法でプライバシ保護を設定をするのは困難である。例えば、パーソナルコンピュータに比べ表示画面も小さいので、キーボード及びマウスなどの操作手段にも制約があり、設定項目が多いと非常に煩わしい。また、コンピュータでは操作者をユーザ名とパスワードなどで特定できるが、ビデオカメラなどでは、通常、操作者を特定できない。
【０００６】
本発明は上記のようにパソコンのアプリケーションとは異なる制約条件においても、操作者が機器の操作情報や動作データなど、他人や外部に漏らしたくないデータを簡易な設定手段で適切に保護する機器及びプライバシ保護方法を提供するものである。
【０００７】
【課題を解決するための手段】
本発明に係る情報記録装置は、装置の操作に関する情報及び操作者を特定する情報を、プライバシに関する情報とその他の情報に分類するために、個人特定情報カテゴリ、再生コンテンツ情報カテゴリ、機器メンテナンス用情報カテゴリ及び撮影環境情報カテゴリの少なくともいずれかに分類し、分類後のカテゴリに応じて前記動作情報の本体での記録・再生・表示・転送・消去を制御することを特徴とする。
【０００８】
本発明に係る撮像記録装置は、被写体像を撮像し画像情報として記録する撮像記録手段を有する撮像記録装置であって、装置の操作に関する情報及び操作者を特定する情報を、プライバシに関する情報とその他の情報に分類するために、個人特定情報カテゴリ、再生コンテンツ情報カテゴリ、機器メンテナンス用情報カテゴリ及び撮影環境情報カテゴリの少なくものいずれかに分類し、分類後のカテゴリに応じて前記動作情報の本体での記録・再生・表示・転送・消去を制御するプライバシ保護手段を有し、前記個人特定情報カテゴリは、個人を特定可能な情報であって、操作者の指紋、目の虹彩、血管、声紋、住所、氏名、年齢、電話番号、メールアドレスのうち少なくとも１つを含み、前記再生コンテンツ情報カテゴリは、本体で当該コンテンツを再生した日時、場所、再生したデータの種類や内容を判断可能なコンテンツ情報のうち少なくとも１つを含み、前記機器メンテナンス用情報カテゴリは、機器の修理及びメンテナンスの少なくとも一方ために必要な情報であり、耐久回数及び使用期限のある所定部材の操作回数及び操作時間、さらには、本体のソフトウェアをデバッグするための操作情報のうち少なくとも１つを含み、前記撮影環境情報カテゴリは、撮影環境に関する情報であり、撮影時の操作時刻、操作場所、温度、湿度及び天気のうち少なくとも１つを含み、分類後のカテゴリに従い、情報管理方法の設定をユーザに促す頻度タイミング及び管理状態を表示する方法の少なくとも一方が異なることを特徴とする。
【０００９】
本発明に係る再生装置は、記録された画像を再生する手段を有する再生装置であって、装置の操作に関する情報及び操作者を特定する情報を、プライバシに関する情報とその他の情報に分類するために、個人特定情報カテゴリ、再生コンテンツ情報カテゴリ、機器メンテナンス用情報カテゴリ及び撮影環境情報カテゴリの少なくものいずれかに分類し、分類後のカテゴリに応じて前記動作情報の本体での記録・再生・表示・転送・消去を制御するプライバシ保護手段を有し、前記個人特定情報カテゴリは、個人を特定可能な情報であって、操作者の指紋、目の虹彩、血管、声紋、住所、氏名、年齢、電話番号、メールアドレスのうち少なくとも１つを含み、前記再生コンテンツ情報カテゴリは、本体で当該コンテンツを再生した日時、場所、再生したデータの種類や内容を判断可能なコンテンツ情報のうち少なくとも１つを含み、前記機器メンテナンス用情報カテゴリは、機器の修理及びメンテナンスの少なくとも一方ために必要な情報であり、耐久回数及び使用期限のある所定部材の操作回数及び操作時間、さらには、本体のソフトウェアをデバッグするための操作情報のうち少なくとも１つを含み、前記撮影環境情報カテゴリは、撮影環境に関する情報であり、撮影時の操作時刻、操作場所、温度、湿度及び天気のうち少なくとも１つを含み、分類後のカテゴリに従い、情報管理方法の設定をユーザに促す頻度タイミング及び管理状態を表示する方法の少なくとも一方が異なることを特徴とする。
【００１０】
本発明に係るプライバシ保護方法は、装置の操作に関する情報及び操作者を特定する情報を、プライバシに関する情報とその他の情報に分類するために、個人特定情報カテゴリ、再生コンテンツ情報カテゴリ、機器メンテナンス用情報カテゴリ及び撮影環境情報カテゴリの少なくものいずれかに分類し、分類されたカテゴリに応じて、前記動作情報の本体での記録・再生・表示・転送・消去を制御することを特徴とする。
【００１１】
本発明に係るプライバシ保護方法は、被写体像を撮像し画像情報として記録する撮像記録手段を有する撮像記録装置において操作者のプライバシを保護する方法であって、装置の操作に関する情報及び操作者を特定する情報を、プライバシに関する情報とその他の情報に分類するために、個人特定情報カテゴリ、再生コンテンツ情報カテゴリ、機器メンテナンス用情報カテゴリ及び撮影環境情報カテゴリの少なくものいずれかに分類し、分類後のカテゴリに応じて前記動作情報の本体での記録・再生・表示・転送・消去を制御し、前記個人特定情報カテゴリは、個人を特定可能な情報であって、操作者の指紋、目の虹彩、血管、声紋、住所、氏名、年齢、電話番号、メールアドレスのうち少なくとも１つを含み、前記再生コンテンツ情報カテゴリは、本体で当該コンテンツを再生した日時、場所、再生したデータの種類や内容を判断可能なコンテンツ情報のうち少なくとも１つを含み、前記機器メンテナンス用情報カテゴリは、機器の修理及びメンテナンスの少なくとも一方のために必要な情報であり、耐久回数及び使用期限のある所定部材の操作回数及び操作時間、さらには、本体のソフトウェアをデバッグするための操作情報のうち少なくとも１つを含み、前記撮影環境情報カテゴリは、撮影環境に関する情報であり、撮影時の操作時刻、操作場所、温度、湿度及び天気のうち少なくとも１つを含み、分類後のカテゴリに応じて、情報管理方法の設定をユーザに促す頻度タイミング及び管理状態を表示する方法の少なくとも一方が異なることを特徴とする。
【００１２】
本発明に係るプライバシ保護方法は、記録された画像を再生する手段を有する再生装置において操作者のプライバシを保護する方法であって、装置の操作に関する情報及び操作者を特定する情報を、プライバシに関する情報とその他の情報に分類するために、個人特定情報カテゴリ、再生コンテンツ情報カテゴリ、機器メンテナンス用情報カテゴリ及び撮影環境情報カテゴリの少なくものいずれかに分類し、分類後のカテゴリに応じて前記動作情報の本体での記録・再生・表示・転送・消去を制御し、前記個人特定情報カテゴリは、個人を特定可能な情報であって、操作者の指紋、目の虹彩、血管、声紋、住所、氏名、年齢、電話番号、メールアドレスのうち少なくとも１つを含み、前記再生コンテンツ情報カテゴリは、本体で当該コンテンツを再生した日時、場所、再生したデータの種類や内容を判断可能なコンテンツ情報のうち少なくとも１つを含み、前記機器メンテナンス用情報カテゴリは、機器の修理及びメンテナンスの少なくとも一方のために必要な情報であり、耐久回数及び使用期限のある所定部材の操作回数及び操作時間、さらには、本体のソフトウェアをデバッグするための操作情報のうち少なくとも１つを含み、前記撮影環境情報カテゴリは、撮影環境に関する情報であり、撮影時の操作時刻、操作場所、温度、湿度及び天気のうち少なくとも１つを含み、分類後のカテゴリに応じて、情報管理方法の設定をユーザに促す頻度タイミング及び管理状態を表示する方法の少なくとも一方が異なることを特徴とする。
【００１３】
【実施例】
以下、図面を参照して、本発明の実施例を詳細に説明する。
【００１４】
図１は、本発明の一実施例であるカメラ一体型ＶＴＲの概略構成ブロック図を示し、図２は、その外観斜視図を示す。
【００１５】
１０は撮影レンズ、１２は絞りやシャッタなどの露光量制御部材、１４は光学像を電気信号に変換するＣＣＤなどの撮像素子、１６は撮像素子１４のアナログ信号出力をデジタル信号に変換するＡ／Ｄ変換器である。１８はタイミング発生回路であり、撮像素子１４、Ａ／Ｄ変換器１６及びＤ／Ａ変換器２６にクロック信号及び制御信号を供給する。
【００１６】
２０は画像処理回路であり、Ａ／Ｄ変換器１６からのデータに対して所定の画素補間処理や色変換処理を行う。画像処理回路２０はまた、画像データに基づき露光量制御及び測距制御のための演算処理処理などを行う。
【００１７】
２２はデータフロー制御回路であり、Ａ／Ｄ変換器１６、タイミング発生回路１８、画像処理回路２０、画像表示メモリ２４、Ｄ／Ａ変換器２６、メモリ３０及び圧縮伸長回路３２などの間でデータの入出力を制御する。撮影記録時には、Ａ／Ｄ変換器１６のデータが画像処理回路２０を介して、画像表示メモリ２４又はメモリ３０に書き込まれる。
【００１８】
２４は画像表示メモリ、２６はＤ／Ａ変換器、２８はＴＦＴ液晶表示素子からなる画像表示部である。画像表示メモリ２４に書き込まれた表示用の画像データは、Ｄ／Ａ変換器２６を介して画像表示部２８により表示される。撮像素子１４の出力画像を画像表示部２８の画面上に逐次、表示すれば、電子ファインダ機能を実現できる。
【００１９】
４０は絞りやシャッタなど露光量制御部材１２を制御する露光制御手段、４２は撮影レンズ１０のフォーカシングを制御する測距制御手段、４４は撮影レンズ１０のズーミングを制御するズーム制御手段である。露光制御手段４０及び測距制御手段４２はＴＴＬ（Ｔｈｒｏｕｇｈ  Ｔｈｅ  Ｌｅｎｓ）方式を用いて制御されており、撮像素子１４の出力画像データを画像処理回路２０によって演算した演算結果に基づき、システム制御回路５０が、露光制御手段４０及び測距制御手段４２を制御して、露出とフォーカスを制御する。
【００２０】
３０は撮影した静止画像や動画像を格納するためのメモリであり、所定枚数の静止画像及び所定時間の動画像を処理するために一時的に格納するのに十分な記憶量を備えている。また、メモリ３０は、システム制御回路５０の作業領域としても使用することが可能である。
【００２１】
３２は画像データを圧縮伸長する圧縮伸長回路であり、メモリ３０に格納された画像を読み込んで圧縮処理又は伸長処理を行い、処理を終えたデータをメモリ３０に書き込む。
【００２２】
３３はテープ又はディスクなどの第１の記録媒体であり、不図示のテープの走行及びテープドラムの回転を制御する制御駆動手段、またはディスク回転及びヘッド位置制御などの制御駆動手段によって適切に制御され、画像データの記録再生が行われる。
【００２３】
３１は記録媒体３３へ記録するための処理回路であり、例えば記録媒体のフォーマット形式にあうように信号を変換したり、情報を付加したりする。
【００２４】
２００はメモリカード等の記録媒体である。記録媒体２００は、半導体メモリ等から構成される。
【００２５】
９０はカードインターフェース回路であり、メモリカードなどの記録媒体又は各種インタフェースカードとのコマンドのやりとりをするためのレジスタ及びインターフェースタイミングを生成する。
【００２６】
９８は、第１の記録媒体３３及び第２の記録媒体２００が装着されているか否かを検知する記録媒体着脱検知手段である。
【００２７】
９９は、装着された第１又は第２の記録媒体の誤消去防止爪の状態を検知する誤消去防止爪検知手段である。
【００２８】
５０は、画像処理装置全体を制御するシステム制御回路、５２はシステム制御回路５０の動作用の定数、変数及びプログラム等を記憶するフラッシュＲＯＭなどのメモリである。
【００２９】
５６は、各種調整値などを記憶しておくための電気的に消去・記録可能な不揮発性メモリであり、例えばＥＥＰＲＯＭ等が用いられる。
【００３０】
６０はモードスイッチであり、電源オフ、撮影記録モード、再生モード及び通信モード等の各機能モードを切り替え設定することが出来る。図３にモードスイッチ６０の平面図を示す。
【００３１】
６２は静止画撮影トリガースイッチ、６３はメニュー画面表示キー、６４は動画撮影トリガースイッチ、７０は図４に例示するように、セットボタン、上下左右のカーソル移動キーボタン等からなる操作部である。
【００３２】
１１０はＵＳＢ通信部で、スレーブとしてのＩＦ部である。１１１はＵＳＢ通信部で、ホストとしてのＩＦ部である。１１２はＵＳＢスレーブ端子であり、通信制御部１１０により画像処理装置１００を他のＵＳＢホスト機器と不図示のケーブルで接続するコネクタである。１１３はＵＳＢホスト端子であり、通信部１１０により画像処理装置１００を他のＵＳＢスレーブ機器と不図示のケーブルで接続するコネクタである。
【００３３】
８０は電源制御手段であり、ＤＣ−ＤＣコンバータ、及び通電するブロックを切り替えるスイッチ回路等により構成されている。電源制御手段８０は、電池検知手段８７を介して電池の装着の有無、電池の種類及び電池残量を検出し、検出結果及びシステム制御回路５０の指示に基づいてＤＣ−ＤＣコンバータを制御し、必要な電圧を必要な期間、記録媒体を含む各部へ供給する。
【００３４】
８２、８４はコネクタである。８６は電源手段であり、例えば、アルカリマンガン電池など充電できない一次電池、リチウムイオン電池など充電可能な二次電池、又は、ＡＣ電源をＤＣ電源に変換して本体に直流電源として供給するＡＣ−ＤＣアダプター等からなる。
【００３５】
８７は原電の種類を検知する電池検知手段である。判別方法としては、例えば電池の形状を機械的に判別しても良い。所定量の電流を流した時と流さないときの電圧差から電池の内部抵抗を測定し、それをもって電池の種類及び消耗度を判断することができる。電池自体が通信手段を有する場合、電池の種類又はその消耗度などをその通信手段を介して検知するものであってもよい。
【００３６】
１２０はＧＰＳなどの位置情報センサ、１２１は温度センサ、１２２は湿度センサである。
【００３７】
次に、本実施例の動作モードを説明する。本実施例は、動画記録モード、静止画記録モード、動画再生モード、静止画再生モード、及び外部接続モードを具備する。
【００３８】
動画記録モードは、これまでのビデオカムコーダと同様のモードである。撮影している被写体画像は、画像表示部２８を介して観察しながら、動画として、第１又は第２の記録媒体に連続的に記録される。
【００３９】
動画再生モードも、ビデオカムコーダでの再生機能と同様である。第１または第２の記録媒体に記録された動画データを再生して、画像表示部２８等に表示する。
【００４０】
静止画記録モードは、通常のデジタルスチルカメラの撮影機能と同じであり、撮影している被写体画像は、画像表示部２８を介して観察しながら、瞬間の静止画が第１または第２の記録媒体に記録される。
【００４１】
静止画像再生モードは、通常のデジタルスチルカメラの再生機能と同じであり、第１または第２の記録媒体に記録された静止画データが再生され、画像表示部２８に表示される。
【００４２】
外部接続モードは、通信部１１０又は同１１１などを介して外部機器、例えばパーソナルコンピュータと接続して、通信を行うモードである。例えば、第１又は第２の記録媒体に記録されたデータをコンピュータに転送したり、あるいは、本体へは記録せずに映像データを直接、コンピュータに転送しても良い。
【００４３】
本実施例におけるプライバシに関連する情報の、カテゴリへの分類、カテゴリ毎の管理方法、さらに本体動作に関連した管理の例を順に説明する。
【００４４】
先ず、カテゴリ毎の情報管理方法を説明する。情報管理には、そのカテゴリ毎の目的に応じた制約を設定する。例えば、情報の記録先制約、記録・再生・転送・複写・消去などの制約、及び表示の制約がある。
【００４５】
まずカテゴリ１に分類される情報の記録先は、少なくとも機器本体とする。ここでは、不揮発性メモリ５６に記録するものとする。但し、第１、第２の記録媒体３３，２００への記録を禁止するものではない。状況及び機器の動作目的に応じて、第１又は第２の記録媒体３３，２００に記録することもありうる。
【００４６】
カテゴリ１は、個人を特定できる内容である。通常は記録のみを許可し、再生、転送及び複写を禁止する。また、記録した情報の保持期限を設定し、期限後に自動的に消去されるようにしてもよい。これにより保護性が、一層、高められる。消去は、操作部材７０の操作の組み合わせ等で行うものとする。もし、消去動作に対して制限を設けたいのであれば、一般的なＩＤ又はパスワードの入力を求める方法ももちろん可能である。
【００４７】
カテゴリ１に分類された情報の管理態様は、メニュー操作により確認できる。メニューボタン６３の操作により、図５に例示するようなプライバシデータ管理画面が表示される。操作部７０の操作により、カテゴリ１に相当する個人情報の項目を選択し、図６に示すような個人情報の管理画面に切り替える。ここで、さらに記録して良い項目を選択し、良ければ”保存”を選択し、元のままで良ければ”キャンセル”を選択する。設定確認を終了する場合は”終了”を選択し、さらに次の画面を表示したい場合には”次”を選択し、実行すれば良い。”次”を選択すると、図７に示すような個人情報の消去画面が表示される。ここで個人情報を消去したければ、”消去”を選択し、消去しないのであれば”キャンセル”を選択する。”終了”を選択することで、この設定モードから抜けることができる。
【００４８】
図５乃至図７から分かるように、本実施例では、個人を特定できるデータそのものは表示されない。例えば、指紋などの情報は、本機内部で個人認証用に使用されるが、指紋画像そのものが表示されることは無い。
【００４９】
次に、カテゴリ２に分類される再生コンテンツ情報の管理を説明する。カテゴリ２に分類される情報の記録先は、少なくとも本体の不揮発性メモリ３３である。通常再生コンテンツ情報は、第１の記録媒体又は第２の記録媒体から本体が読み込むか、さらにはネットワークを介して取り込むことが想定される。例えば、映画が記録された記録媒体を本体で再生した場合には、いつ、どのタイトルの映画をどの部分まで再生したが本体に記録される。
【００５０】
ここでのプライバシ保護の手段及び方法では、カテゴリ２の情報を本体の不揮発性メモリに記録することの許可を予め操作者に求める。つまり、コンテンツを再生する前に、操作者に対して、再生するコンテンツの情報を本体に記録することの同意と、記録したコンテンツ情報を本体で利用及び再生しても良いかどうかの旨の同意を求める手段と、図１０に示すような画像のコンテンツを再生する間に、情報を本体に記録している旨がわかるような、例えば図１１に示すような表示をおこなう手段を設けている。
【００５１】
このような許可を得てこの情報を記録した後は、メモリからこの情報を読み出すことと転送及び消去に関しては、プライバシ保護手段及び方法は制限されず、記録情報は誰にも容易に読み出されてしまう。この場合、本体を別の人に貸し出したりして記録したものが外部に漏れることが懸念される。
【００５２】
本実施例では、記録された情報を簡単に消去する手段を提供することで、このような懸念を解消している。例えば、メニュー画面でまず、図５に示す画面で再生コンテンツ情報管理を選択し、図８に示すような再生コンテンツ情報管理画面を表示させる。図８に示す画面で、”再生コンテンツ情報消去”を選択する。これにより、図９に示す再生コンテンツ情報画面が表示される。図９に示す画面では、これまでに記録されたコンテンツのリストが表示されるので、全て消去したければ”全てを選択”を実行する。すると、リスト全てが選択状態になり、ここで”ＯＫ”を実行し、”終了”を実行する。個別に消去する場合には、消去したい項目だけを選択状態にし、”ＯＫ”を実行し、”終了”を実行する。
【００５３】
一方で、貸し出しが一時的なもので、再び同じコンテンツ情報を本体で使用したい場合も考えられる。そのためには、消去の前にコンピュータにデータを転送したり、別の媒体、例えば第２の記録媒体に複写しておいて、消去後に復活させればよい。このような理由から、カテゴリ２のプライバシ保護手段及び方法では、メモリから情報を読み出すことと、転送及び消去に関して、特に制限を設けない。
【００５４】
続いてカテゴリ３に分類される再生コンテンツ情報の管理を説明する。先に説明したように、カテゴリ３に該当する情報は、機器のメンテナンスに必要な情報であり、一般操作者が通常の機器の使用で必要とすることの無い情報である。従って、操作者に対してこのカテゴリ３の管理設定などは、通常の操作時には意識させないようにし、煩わしさがないようにしている。
【００５５】
通常は、メニューキー６３を操作しても、画面にその内容は表示されない。本体の制御部５０が自動的に不揮発性メモリ５２に記録しているものである。不揮発性メモリの容量に限りがあるので、操作を全て記録するわけではなく、ある操作に関してはその操作回数を計数するだけにとどめたり、古い操作情報を自動的に消去するようにする。また、ソフトウェアのデバグ目的であれば、デバグ中のみ記録し、デバグ終了の際には消去する。
【００５６】
このように、カテゴリ３の情報は、一般操作者がその内容を確認したり管理設定を変更する必要に迫られることは希である。従って、この管理設定の変更と確認は、メンテナンスモードとして、専門知識を有する者だけが可能であれば良いので、外部から本体に通信を行って本体をメンテナンスモードに切り替えるなどの方法をとる。
【００５７】
次に、カテゴリ４に分類される撮影環境情報の管理を説明する。カテゴリ４に分類される情報の記録先は、撮影画像と同一の記録媒体である。例えば、動画撮影モードにおいて、撮影した被写体の動画データを第１の記録媒体３３に記録する場合、それに付随する撮影場所及び撮影時刻などの撮影環境情報も第１の記録媒体３３に記録される。記録、再生、転送、複写、消去、及び情報の表示については、本体の動作モード毎の目的に応じて可否を設定する。カテゴリ４の情報には、プライバシ保護として、上記動作を妨げるような制約を設けない。
【００５８】
以上のようにカテゴリ別に分類した情報を実際の機器においてどのように処理するかを説明する。
【００５９】
まずカテゴリ１に属する情報と動作モードとの関連を説明する。カテゴリ１に属する情報は、上述のいずれの動作モードでも使用される。静止画モード、動画記録モード及びその再生モードでは、例えば、ある特定の人だけに記録操作又は再生操作を許可したり、その一部の機能を制限することが考えられる。外部接続モードでは、ネットワークなどに接続する場合の個人認証として使用される。
【００６０】
このように、カテゴリ１に属する情報は、各動作モードで使用されうるものであるが、操作の度に、情報管理の確認又は設定を行うのでは煩わしい。そこで、本体を購入するなどして最初に使用する際に、カテゴリ１に関する情報の扱い確認する処理が実行される。この確認処理が一度実行されると、実行したことを本体の不揮発性メモリにフラグとして記憶しておく。従って、二度目以降に使用する場合に、改めて確認の処理が実行されることはない。しかし、使用者を新たに登録した場合で、その登録者が新たに使用する際に確認の処理が実行される。
【００６１】
このようにすることで、操作者が本体に電源を入れて起動するたびに確認処理を行わなくても済み、煩わしさが解消できる。
【００６２】
但し、カテゴリ１に関する情報の本体における扱いを変更したい場合、及び、その設定内容を確認するのは、操作者が任意に実行できる必要がある。本実施例では、図４に示す十字カーソルキーと決定キーを有する操作部７０の操作などによって、図５乃至図９に示すようなメニュ−画面を表示部２８に表示し、操作部７０の操作で確認、実行及びキャンセルなどを選択すればよい。
【００６３】
先に述べたように、ここで確認できるのは、カテゴリ１に関する情報の管理方法に関する項目である。個人を特定できるような情報、例えば指紋画像そのものは、この操作では表示されない。
【００６４】
消去に関しても、別のメニュー画面を表示し、所定の手続きを経て実行可能である。
【００６５】
次に、カテゴリ２に属する情報と動作モードとの関連を説明する。カテゴリ２に属する情報は、再生コンテンツの情報であるので、動画再生モード及び静止画再生モードで使用され、更には、ネットワークからの遠隔操作で再生される場合を想定すると、外部接続モードでも使用され得る。
【００６６】
まず、再生するための媒体を本体に装着したとして、図１２を参照して、制御部の動作シーケンスを説明する。
【００６７】
新規な記録媒体が装着されたかどうかを判断する（Ｓ１）。これは、記録媒体着脱検知部９８の出力を監視することで処理される。新規な記録媒体が装着されると（Ｓ１）、カテゴリ２に分類される情報を不揮発性メモリ３３に記録することを操作者が許可するか否かを判定する（Ｓ２）。つまり、図８に示すような、操作者に許可を求める画面が表示部２６に表示される。ここで、操作者が操作部７０などを操作し、記録を許可するか否かを選択する。
【００６８】
記録が許可される場合（Ｓ２）、記録許可フラグがシステム制御部５０内にセットされ（Ｓ３）、許可されない場合（Ｓ２）、記録許可フラグがクリアされる８Ｓ４）。次に新規な記録媒体が装着されるまで（Ｓ１）、記録許可フラグが維持される。
【００６９】
記録許可フラグがセットされている状態で、その記録媒体の再生コンテンツが変更された場合、その表示画面に、図１１に示すような、コンテンツ情報の記録を示す情報を所定時間、表示する。再生コンテンツが変更されるのは、例えば、１つの記録媒体に複数のコンテンツが存在していて、第１のコンテンツを再生していた状態から第２のコンテンツを再生するように切り換えた場合である。この目的は、新たに切り替わったコンテンツに対しても、そのコンテンツ情報を本体に記録している旨を操作者に伝えることである。なお、再生動作中に常時、このような情報が表示されているわけでなく、再生コンテンツが変更された場合に所定時間だけ表示され、その後は、図１０に示すような通常表示になる。
【００７０】
このように、本実施例では、再生画像の鑑賞を妨げることを極力少なくして、必要な情報を知らせるようにしている。これにより、操作者は、コンテンツ情報が本体に記録されていることを判断できる。記録を許可したくなければ、管理設定をその場で変更することが可能である。
【００７１】
カテゴリ３に属する情報と動作モードとの関連を説明する。先に説明したように、カテゴリ３に属する情報は、機器のメンテナンスに必要な情報である。この情報は、通常の使用においては一般の操作者が必要とすることは稀な情報である。従って、操作者に対して、このカテゴリ３の管理設定は意識させないようにし、煩わしさを感じさせないようにするのが好ましい。従って、どの動作モードで何を記録するかは、部品の耐久回数管理目的及び搭載したソフトウェアのデバグなど、その目的に応じて外部から本体に対して通信をするなどして設定される。
【００７２】
カテゴリ４に属する情報と動作モードとの関連を説明する。カテゴリ４に属する情報は、撮影の環境に関する情報であるので、当然ながら、動画記録モード及び静止画記録モードで使用される。ネットワークを介して遠隔操作で撮影する場合も想定されるので、外部接続モードでも使用される。
【００７３】
撮影場所を自動的に記録するには、ＧＰＳなどの位置情報センサ１２０などが必要である。温度及び湿度などの情報を記録するにも、センサ１２１，１２２が必要である。しかし、必ずしもここであげた情報すべてが必要ではなく、機器の目的に応じて選択して装備すれば良い。通常のカメラの場合、時刻情報と位置情報を記録するのが有益である。
【００７４】
カテゴリ４に属する情報の管理設定の確認と変更も、確認変更メニューを起動し、図６及び図７に類した操作画面で可能である。
【００７５】
上記実施例では、カテゴリとそのカテゴリに属する情報は、予め決められたものとして構成した。しかし、実施する製品形態及びその目的によっては、操作者がカテゴリとそのカテゴリに属する情報の内容を変更できるように、カスタマイズ設定可能としてもよい。また、操作者毎に、管理設定を変更するようにしてもよい。こうすることで、機器を複数の人で使用する場合、及び機器を貸し出し用途で使用する場合等で、操作者毎の機器の使い方の違い及びプライバシに対する意識の違いにも対応可能となり、使用する人と目的に適したプライバシ情報管理が可能になる。
【００７６】
また、上記実施例で例示した設定画面などの表示例、及び操作部７０の部材を使った設定方法は、概念を示すための一例あり、唯一の方法でないのは言うまでもない。
【００７７】
【発明の効果】
以上の説明から容易に理解できるように、本発明によれば、操作者は、簡単な方法で機器の操作に伴うプライバシ情報の漏洩を防ぐことが可能になる。
【００７８】
特に、どんな情報が本体に記録されているか、そしてどのように管理されているかを簡単に操作者が知ることができ、機器を操作する上での安心感をもたらす。管理設定の変更が可能であるので、操作者の目的に応じたプライバシ保護が可能であり、且つその確認及び設定変更は、キーボードやマウスなどの大掛かりな操作部材や高解像度表示部材などが不要で簡便である。
【００７９】
またカテゴリ毎に管理方法の設定をユーザに促す動作は、カテゴリ毎に必要に応じで適切に実行される。例えばカテゴリ３に該当する機器のメンテナンスに必要な情報は、一般操作者が通常の機器の使用で必要とすることが無いような情報である。従って、操作者に対してこのカテゴリ３の管理設定画面などは、通常の操作では表示されないようになっている。また、カテゴリ２の再生コンテンツに関しては、再生コンテンツが変更された時だけ表示する。このように、カテゴリ毎に管理方法の設定をユーザに促す頻度タイミングを適切に異なっているので、通常操作時に、煩わしさがなく、本体の操作に集中できるという効果がある。
【００８０】
プライバシ情報とは別に、誤動作の解析や修理などの際に必要な情報を本体に記録するようにしたことにより、例えば、操作者が本体を使用している最中に、本体が不可解な動作や故障が発生した場合、メーカからユーザに対して迅速且つ適切な助言や修理が可能になり、修理期間の短縮と費用の低減が可能になり、メーカとユーザの双方に利点をもたらすものである。また、修理などに必要な情報とは別にプライバシ情報のみを消去できるので、本体を人に貸し出したり、修理に出すする際にも、自分の趣味が外部に漏れる心配がない。
【００８１】
撮影環境情報の記録により、撮像記録再生装置において、撮影した時の状況を適切に記録に残すことが可能であり、さらには、再生したコンテンツが外部に漏れて操作者の嗜好や趣味の特性が外部に漏洩することを防ぐことができる。
【図面の簡単な説明】
【図１】本発明の一実施例の概略構成ブロック図である。
【図２】本実施例の外観斜視図である。
【図３】モードスイッチの平面図である。
【図４】操作部のカーソル移動キー及び決定スイッチの平面図である。
【図５】操作画面例である。
【図６】操作画面例である。
【図７】操作画面例である。
【図８】操作画面例である。
【図９】操作画面例である。
【図１０】表示画面例である。
【図１１】情報付きの表示画面例である。
【図１２】記録許可判断のフローチャートである。
【符号の説明】
１０：撮影レンズ
１２：露光量制御部材
１４：撮像素子
１６：Ａ／Ｄ変換器
１８：タイミング発生回路
２０：画像処理回路
２２：データフロー制御回路
２４：画像表示メモリ
２６：Ｄ／Ａ変換器
２８：表示部
３０：メモリ
３１：記録処理回路
３２：画像データ圧縮伸長回路
３３：第１の記録媒体
４０：露光制御手段
４２：測距制御手段
４４：ズーム制御手段
５０：システム制御回路
５２：プログラムメモリ
５６：不揮発性メモリ
６０：モードスイッチ
６２：静止画撮影トリガースイッチ
６４：動画撮影トリガースイッチ
７０：各種ボタンからなる操作部
８０：電源制御手段
８２：コネクタ
８４：コネクタ
８６：電源手段
８７：電池検知手段
９０：カードインターフェース回路部
９８：記録媒体着脱検知手段
９９：誤消去防止爪検知手段
１１０：ＵＳＢ通信制御部スレーブ
１１１：ＵＳＢ通信制御部ホスト
１１２：ＵＳＢスレーブ端子
１１３：ＵＳＢホスト端子
２００：メモリカード等の記録媒体
【図１】
2004349909.tif 000003
【図２】
2004349909.tif 000004
【図３】
2004349909.tif 000005
【図４】
2004349909.tif 000006
【図５】
2004349909.tif 000007
【図６】
2004349909.tif 000008
【図７】
2004349909.tif 000009
【図８】
2004349909.tif 000010
【図９】
2004349909.tif 000011
【図１０】
2004349909.tif 000012
【図１１】
2004349909.tif 000013
【図１２】
2004349909.tif 000014